(57)【要約】      （修正有）【課題】角度が調整可能であり、ホルダーの姿勢に従ってワイヤレス充電機能を制御可能であり、誤操作率を減らし、携帯電話及びモバイル電源の耐用年数を延ばし、実用性が高いワイヤレス充電用携帯電話ホルダーを提供する。【解決手段】ワイヤレス充電用携帯電話ホルダーは、モバイル電源ハウジング２及びそれと係合して配置されるホルダーハウジング１を備え、モバイル電源ハウジングとホルダーハウジングとが回転アセンブリによって回転可能に接続され、回転アセンブリがモバイル電源ハウジングの外側に設けられる回転スリーブ及びホルダーハウジングに設けられる回転軸３を含み、回転軸が回転スリーブ内部の軸穴と回転可能に接続される。【選択図】図１
0003224353.tif 000002
【実用新案登録請求の範囲】
【請求項１】
ワイヤレス充電用携帯電話ホルダーであって、モバイル電源ハウジング（2）及びそれと係合して配置されるホルダーハウジング（1）を備え、前記モバイル電源ハウジング（2）とホルダーハウジング（1）とが回転アセンブリによって回転可能に接続される、携帯電話ホルダーにおいて、
回転アセンブリがモバイル電源ハウジング（2）の外側に設けられる回転スリーブ及びホルダーハウジング（1）に設けられる回転軸（3）を含み、前記回転軸（3）が回転スリーブ内部の軸穴（5）と回転可能に接続され、
前記回転軸（3）及び回転スリーブにモバイル電源ハウジング（2）とホルダーハウジング（1）との回転角度を制限するための位置規制機構が設けられ、
前記位置規制機構が回転軸（3）の軸方向に沿って設けられるストリップ状フランジ（34）、及び軸穴（5）の内部に設けてフランジ（34）と係合される角度固定溝を含み、角度固定溝とフランジ（34）との係合により、モバイル電源ハウジング（2）とホルダーハウジング（1）との間の角度を制限し、前記角度固定溝の数が２つ以上であり、隣接する角度固定溝同士間の軸穴（5）の内壁にシュート（54）が設けられ、
前記回転アセンブリに回路基板（7）と電気的に接続して、充電通断の制御を実現するための通断機構がさらに設けられることを特徴とする携帯電話ホルダー。
【請求項２】
前記フランジ（３４）は、断面が円弧状の弾性ストリップであることを特徴とする請求項１に記載のワイヤレス充電用携帯電話ホルダー。
【請求項３】
前記シュート（54）所在の軸穴の表面に滑らかな表面層が設けられ、前記角度固定溝内に摩擦を増やすための摩擦面が設けられることを特徴とする請求項１に記載のワイヤレス充電用携帯電話ホルダー。
【請求項４】
前記角度固定溝は電源ハウジング（2）とホルダーハウジング（1）とを水平状態にする水平角度固定溝及び電源ハウジング（2）とホルダーハウジング（1）とを傾斜状態にする傾斜角度固定溝を含み、前記水平角度固定溝が第１角度固定溝（51）であり、前記傾斜角度固定溝が第２角度固定溝（52）及び第３角度固定溝（53）を含むことを特徴とする請求項１に記載のワイヤレス充電用携帯電話ホルダー。
【請求項５】
前記通断機構は軸方向に沿ってフランジ（34）に設けられる回転軸接点（33）を含み、前記回転軸接点（33）が第１回転軸接点（331）及びその両側に対称的に配置される２つの第２回転軸接点（332）を含み、
前記通断機構は角度固定溝内に設けられかつ回転軸接点と対応する軸穴接点をさらに含み、前記軸穴接点が第１回転軸接点（331）と摺動的に接触する２つの第１軸穴接点（511）及びそれぞれ２つの第２回転軸接点（332）と摺動的に接触する２つの第２軸穴接点（510）を含み、
前記角度固定溝内の複数の第１軸穴接点（511）が互いに連通し、複数の第２軸穴接点（510）が互いに連通し、第１軸穴接点（511）及び第２軸穴接点（510）がそれぞれワイヤ（6）によって回路基板（7）のスイッチ接点と接続され、
前記水平角度固定溝における２つの第１軸穴接点（511）の表面に絶縁層が設けられ、前記フランジ（34）における２つの第２回転軸接点（332）が、回転軸（3）端部に設けて両者の通断を制御するための回転軸ボタン（31）によって連通されることを特徴とする請求項４に記載のワイヤレス充電用携帯電話ホルダー。
【請求項６】
前記回転軸ボタン（31）の外端面は回転軸（3）の端面から延び出すことを特徴とする請求項５に記載のワイヤレス充電用携帯電話ホルダー。
【請求項７】
前記回転軸（3）の端部に、ホルダーハウジング（1）と係合される回転軸の面取り部（32）が設けられることを特徴とする請求項１〜６のいずれか一項に記載のワイヤレス充電用携帯電話ホルダー。
【請求項８】
前記ホルダーハウジング（1）の表面に手持ち摩擦を増やす滑り止めマット（4）が設けられることを特徴とする請求項１〜６のいずれか一項に記載のワイヤレス充電用携帯電話ホルダー。
【請求項９】
前記モバイル電源ハウジング（2）に回路基板（7）と電気的に接続される充電コイル（71）が設けられることを特徴とする請求項１に記載のワイヤレス充電用携帯電話ホルダー。
【請求項１０】
前記充電コイル（71）はホルダーハウジング（1）に対してモバイル電源ハウジング（2）を水平配置して充電する第１充電コイル、及びそれを傾斜配置して充電する第２充電コイルを含むことを特徴とする請求項９に記載のワイヤレス充電用携帯電話ホルダー。
【考案の詳細な説明】
【技術分野】
【０００１】
本考案は携帯電話ホルダー装置の技術分野に関し、具体的にワイヤレス充電用携帯電話ホルダーに関する。
【背景技術】
【０００２】
ワイヤレス充電機能を有する従来のモバイル電源は、携帯電話の置き角度を調整することができず、携帯電話を平置きで充電するときに携帯電話に表示されるものを見ることは不便であり、また、従来のモバイル電源が携帯電話を自動的に検出してワイヤレス充電を起動し、モバイル電源と携帯電話とを一緒に持つと、歩いていると携帯電話を継続的に繰り返して検出し、ワイヤレス充電を複数回にオン又はオフにして、携帯電話とモバイル電源の耐用年数を削減する。
【考案の概要】
【考案が解決しようとする課題】
【０００３】
本考案の目的は、上記背景技術で生じた問題を解決するためにワイヤレス充電用携帯電話ホルダーを提供することである。
【課題を解決するための手段】
【０００４】
上記目的を実現するために、本考案は以下の技術的手段を提供する。
【０００５】
ワイヤレス充電用携帯電話ホルダーであって、モバイル電源ハウジング及びそれと係合して配置されるホルダーハウジングを備え、前記モバイル電源ハウジングとホルダーハウジングとが、回転アセンブリによって回転可能に接続され、回転アセンブリがモバイル電源ハウジングの外側に設けられる回転スリーブ、及びホルダーハウジングに設けられる回転軸を含み、前記回転軸が回転スリーブ内部の軸穴と回転可能に接続され、
前記回転軸及び回転スリーブにモバイル電源ハウジングとホルダーハウジングとの間の回転角度を制限するための位置規制機構が設けられ、前記位置規制機構が回転軸の軸方向に沿って設けられるストリップ状フランジ、及び軸穴の内部に設けてフランジと係合される角度固定溝を含み、角度固定溝とフランジとの係合により、モバイル電源ハウジングとホルダーハウジングとの間の角度を制限し、前記角度固定溝の数が２つ以上であり、隣接する角度固定溝同士間の軸穴内壁にシュートが設けられ、
前記回転アセンブリに回路基板と電気的に接続して充電の通断を制御するための通断機構がさらに設けられる。
【０００６】
本考案のさらなる手段として、前記フランジは、断面が円弧状の弾性ストリップであることが好ましい。
【０００７】
本考案のさらなる手段として、前記シュート所在の軸穴の表面に滑らかな表面層が設けられ、前記角度固定溝内に摩擦を増やすための摩擦面が設けられる。
【０００８】
本考案のさらなる手段として、前記角度固定溝は電源ハウジング（２）とホルダーハウジング（１）とを水平状態にする水平角度固定溝、及び電源ハウジング（２）とホルダーハウジング（１）とを傾斜状態にする傾斜角度固定溝を含み、前記水平角度固定溝が第１角度固定溝であり、前記傾斜角度固定溝が第２角度固定溝及び第３角度固定溝を含む。
【０００９】
本考案のさらなる手段として、前記通断機構は軸方向に沿ってフランジに設けられる回転軸接点を含み、前記回転軸接点が第１回転軸接点及びその両側に対称的に配置される２つの第２回転軸接点を含み、
前記通断機構は角度固定溝内に設けられかつ回転軸接点と対応する軸穴接点をさらに含み、前記軸穴接点が第１回転軸接点と摺動的に接触する２つの第１軸穴接点、及びそれぞれ２つの第２回転軸接点と摺動的に接触する２つの第２軸穴接点を含み、
前記角度固定溝内の複数の第１軸穴接点が互いに連通し、複数の第２軸穴接点が互いに連通し、第１軸穴接点及び第２軸穴接点がそれぞれワイヤによって回路基板のスイッチ接点と接続され、
前記水平角度固定溝における２つの第１軸穴接点の表面に絶縁層が設けられ、前記フランジにおける２つの第２回転軸接点が、回転軸の端部に設けて両者の通断を制御するための回転軸ボタンによって連通され、前記回転軸ボタンの外端面が回転軸端面から延び出す。
【００１０】
本考案のさらなる手段として、前記回転軸の端部にホルダーハウジングと係合される回転軸の面取り部が設けられる。
【００１１】
本考案のさらなる手段として、前記ホルダーハウジングの表面に手持ち摩擦を増やす滑り止めマットが設けられる。
【００１２】
本考案のさらなる手段として、前記モバイル電源ハウジングに回路基板と電気的に接続される充電コイルが設けられ、前記充電コイルはホルダーハウジングに対してモバイル電源ハウジングを水平配置して充電するための第１充電コイル、及びそれを傾斜配置して充電するための第２充電コイルを含む。
【００１３】
従来の技術と比べて、本考案は、従来の装置の欠点を改善して、ワイヤレス充電用携帯電話ホルダーを提供し、角度が調整可能で、従来のワイヤレス充電モジュールと協働して、ホルダーの姿勢に従ってワイヤレス充電モジュールの通断を制御し、誤操作率を低減し、携帯電話及びモバイル電源の耐用年数を延ばし、実用性が高いという有利な効果を有する。
【図面の簡単な説明】
【００１４】
【図１】図１は、本考案におけるホルダーハウジングとモバイル電源ハウジングとを水平状態で示す概略構成図である。
【図２】図２は、本考案における回転軸所在のホルダーハウジング及びモバイル電源ハウジングの内部概略構成図である。
【図３】図３は、本考案における回転軸の概略構成図である。
【図４】図４は、本考案における軸穴内の角度固定溝の分布を示す概略構成図である。
【図５】図５は、本考案における軸穴における軸穴接点の分布を示す概略構成図である。
【図６】図６は、本考案におけるモバイル電源ハウジング内部の充電コイル取り付け位置を示す概略構成図である。
【図７】図７は、本考案におけるホルダーハウジングとモバイル電源ハウジングとを傾斜状態で示す概略構成図である。
【考案を実施するための形態】
【００１５】
本考案の説明において、「中央」、「縦方向」、「横方向」、「上」、「下」、「前」、「後」、「左」、「右」、 「垂直」、「水平」、「頂部」、「底部」、「内」、「外」などの用語で示される方向又は位置関係は図面に示す方向又は位置関係に基づくものであって、本発明を説明し、説明を簡単にするためのものだけであり、言及された装置又は構成要素が特定の配向を有し、特定の配向で構築及び操作しなければならないことを示すもしくは暗示することなく、本発明を限定すると解釈されるべきではない。 また、「第１」、「第２」などの用語は、説明のみを目的としており、相対的な重要性を示すもしくは暗示するか、又は示される技術的特徴の数を暗黙的に示すと理解されるべきではない。したがって、「第１」、「第２」を定義する特徴は、少なくとも１つの該特徴を明示的又は暗黙的に含んでもよい。 本考案の説明において、特に断りのない限り、「複数」は２つ又は２つ以上の意味である。
【００１６】
本考案の説明において、「取り付け」、「連通」及び「接続」という用語は、他に明示的に定義及び限定されない限り、広義にとらえるべきであり、例えば、固定接続、取り外し可能な接続、又は一体型接続であってもよく、機械的接続又は電気的接続であってもよく、直接に連通してもよく、中間媒体を介して間接的に連通してもよく、又は、２つの構成要素間の内部連通であってもよい。当業者にとって、本考案における上記用語の特定の意味は特定の状況によって理解することができる。
【００１７】
以下、本考案の実施例における添付の図面を参照しながら、本考案の実施例における技術的手段を明確かつ完全に説明するが、記載された実施例が本考案の実施例の一部にすぎず、それらの全てではないことが明らかである。本考案の実施例に基づいて、創造的な努力なしに当業者によって得られる他の全ての実施例は、本考案の保護範囲内にある。
【００１８】
図１-７を参照して、本考案の実施例において、ワイヤレス充電用携帯電話ホルダーは、モバイル電源ハウジング２及びそれと係合して配置されるホルダーハウジング１を備え、前記モバイル電源ハウジング２とホルダーハウジング1とが回転アセンブリによって回転可能に接続され、回転アセンブリがモバイル電源ハウジング２の外側に設けられる回転スリーブ、及びホルダーハウジング１に設けられる回転軸３を含み、前記回転軸３が回転スリーブ内部の軸穴５と回転可能に接続される。
【００１９】
前記回転軸３及び回転スリーブにモバイル電源ハウジング２とホルダーハウジング１との間の回転角度を制限するための位置規制機構が設けられ、前記位置規制機構は回転軸３の軸方向に設けられるストリップ状フランジ３４、及び軸穴５の内部に設けてフランジ３４と係合される角度固定溝を含み、角度固定溝とフランジ３４との係合により、モバイル電源ハウジング２とホルダーハウジング１との間の角度を制限し、前記角度固定溝の数が２つ以上であり、隣接する角度固定溝同士間の軸穴５の内壁にシュート５４が設けられ、ここで、フランジ３４は断面が円弧状の弾性ストリップであることが好ましく、これにより、フランジ３４が軸穴５内に回転可能になり、前記シュート５４所在の軸穴表面に滑らかな表面層が設けられることで、フランジと軸穴５との間の摩擦を低減させ、前記角度固定溝内に摩擦を増やすための摩擦面が設けられ、フランジ３４と角度固定溝との係合時の位置規制効果を向上させる。
【００２０】
前記角度固定溝は電源ハウジング2とホルダーハウジング１とを水平状態にする水平角度固定溝、及び電源ハウジング２とホルダーハウジング１とを傾斜状態にする傾斜角度固定溝を含み、前記水平角度固定溝が第１角度固定溝５１であり、前記傾斜角度固定溝が第２角度固定溝５２及び第３角度固定溝５３を含む。
【００２１】
前記回転アセンブリに、モバイル電源ハウジング２における回路基板７と電気的に接続して、充電の通断を制御するための通断機構がさらに設けられ、前記通断機構は軸方向に沿ってフランジ３４に設けられる回転軸接点３３を含み、前記回転軸接点３３が第１回転軸接点３３１及びその両側に対称的に配置される２つの第２回転軸接点３３２を含む。
【００２２】
前記通断機構は角度固定溝内に設けられかつ回転軸接点と対応する軸穴接点をさらに含み、前記軸穴接点が第１回転軸接点３３１と摺動的に接触する２つの第１軸穴接点５１１、及びそれぞれ２つの第２回転軸接点３３２と摺動的に接触する２つの第２軸穴接点５１０を含む。
【００２３】
前記角度固定溝内の複数の第１軸穴接点５１１は互いに連通し、複数の第２軸穴接点５１０は互いに連通し、第１軸穴接点５１１と第２軸穴接点５１０とがそれぞれワイヤ６によって、回路基板７のスイッチ接点と接続される。
【００２４】
角度固定溝内の２つの第１軸穴接点５１１がフランジ３４における第１回転軸接点３３１と接触するか又は角度固定溝内の２つの第２軸穴接点５１０がそれぞれフランジ３４における２つの第２回転軸接点３３２と接触するとき、回路基板７の充電回路を連通してワイヤレス充電機能を起動する。
【００２５】
モバイル電源ハウジング２が充電機能を自動的に起動しないように、前記水平角度固定溝内の２つの第１軸穴接点５１１の表面に絶縁層が設けられ、前記フランジ３４における２つの第２回転軸接点３３２が回転軸３の端部に設けて両者の通断を制御するための回転軸ボタン３１によって連通される。
【００２６】
したがって、実際の使用中に、モバイル電源ハウジング２とホルダーハウジング１とが所定の角度になすと、軸穴５の２つの第２軸穴接点５１０がフランジ３４における２つの第２回転軸接点３３２と接触して連通し、軸穴５の２つの第１軸穴接点５１１がフランジ３４における第１回転軸接点３３１によって連通され、この時、回路基板の充電回路を連通して充電機能を起動する。
【００２７】
モバイル電源ハウジング２とホルダーハウジング１とが水平配置される場合、角度固定溝内の２つの第１軸穴接点５１１とフランジ３４における第１回転軸接点３３１とが絶縁層によって遮断して接触できず、この時、回路基板が充電機能を起動するか否かは、フランジ３４における２つの第２回転軸接点３３２と角度固定溝の２つの第２軸穴接点５１０との連通を実現できるか否かに決まれ、これにより、回路基板７が充電機能を起動するか否かを回転軸ボタン３１によって制御し、従来の装置における充電制御不能な欠点を避けた。
【００２８】
なお、上記回路基板は、本考案により提供される携帯電話ホルダーと共に使用してワイヤレス充電を実現するためのモジュールであり、本考案の携帯電話ホルダーの必要な技術的特徴でもなく、本考案の革新でもない。 当業者は、本考案の携帯電話ホルダーと協働して、ワイヤレス充電を実現するための回路基板又はワイヤレス充電モジュールを自由に使用することができる。
【００２９】
前記回転軸３の端部にホルダーハウジング1と係合する回転軸の面取り部３２が設けられ、回転軸の面取り部３２とホルダーハウジング1とが係合して回転軸３の回転を制限する。
【００３０】
前記ホルダーハウジング１の表面にハンドヘルド摩擦を増やす滑り止めマット４が設けられる。
【００３１】
前記モバイル電源ハウジング２に回路基板７と電気的に接続してワイヤレス充電するための充電コイル７１が設けられ、前記充電コイル７１はホルダーハウジング１に対してモバイル電源ハウジング２を水平配置して充電するための第１充電コイル、及びそれを傾斜配置して充電するための第２充電コイルを含む。
【００３２】
上記の連通とは、２枚の金属シートを電気的に接続することを指す。
【００３３】
本考案が上記の例示的な実施例の詳細に限定されず、本考案の精神又は本質的な特徴から逸脱することなく、他の特定の形態で本考案を実施できることは当業者にとって明らかである。したがって、本実施例は例示的であって限定的ではないと見なされるべきであり、本考案の範囲は上記の説明ではなく添付の特許請求の範囲によって定義され、したがって、特許請求の範囲の均等物の意味及び範囲内にあるすべての変更は、本考案に含まれることが意図されている。請求項内のいかなる参照符号も請求項を限定するものとして解釈されるべきではない。
【００３４】
さらに、本明細書は実施形態で説明されているが、各実施形態が１つの独立した技術的解決手段のみを含むわけではないことを理解されたい。 また、このような明細書の説明方式が単にわかりやすくするためのものであり、当業者が明細書を全体として認識するべきであり、各実施例における技術的解決手段を適宜組み合わせて、当業者に理解され得る他の実施形態を形成してもよい。
【符号の説明】
【００３５】
１：ホルダーハウジング、２：モバイル電源ハウジング、３：回転軸、３１：回転軸ボタン、３２：回転軸の面取り部、３３：回転軸接点、３４：フランジ、３３１：第１回転軸接点、３３２：第２回転軸接点、４：滑り止めマット、５：軸穴、５１：第１角度固定溝、５２：第２角度固定溝、５３：第３角度固定溝、５４：シュート、５１１：第１軸穴接点、５１０：第２軸穴接点、６：ワイヤ、７：回路基板、７１：充電コイル。
【図１】
0003224353.tif 000003
【図２】
0003224353.tif 000004
【図３】
0003224353.tif 000005
【図４】
0003224353.tif 000006
【図５】
0003224353.tif 000007
【図６】
0003224353.tif 000008
【図７】
0003224353.tif 000009